(57)【要約】【課題】壁面から安全に取り外すことができる吊下具を提供する。【解決手段】延伸剥離テープ５０を介して壁面に取り付けられるベース４０の前面（ベース前面４１）に取り外す際に指などで押さえるための押さえ部４２を設けるとともに、延伸剥離テープ５０の貼着面４５の一部に粘着力を弱める弱貼着部４５１を設ける。【選択図】　図３
2004041535.tif 000002
【特許請求の範囲】
【請求項１】
壁面などの被取付面に対して両面粘着テープを介して取り付けられるベースと、上記ベースに対して着脱自在に取り付けられる吊下具本体とを有し、上記両面粘着テープとして、ゴム弾性を有するテープ基材の両面に粘着剤を塗布してなり、上記被取付面とほぼ平行な方向に引張って剥がす延伸剥離テープを用いる吊下具において、
上記ベースには、上記延伸剥離テープを上記被取付面から引き剥がす際の上記ベースの飛びを防止する突起状の押さえ部が設けられていることを特徴とする吊下具。
【請求項２】
上記延伸剥離テープの一端側には、引き剥がす際に手などで把持される把持部が設けられており、上記ベース側のテープ貼着面のうち、上記延伸剥離テープの他端側（反把持部側）が接触する部分には、上記延伸剥離テープの粘着力を弱める弱貼着部が設けられている請求項１に記載の吊下具。
【請求項３】
上記延伸剥離テープのテープ基材は、全光線透過率が８０％以上である請求項１または２に記載の吊下具。
【請求項４】
上記延伸剥離テープのテープ基材は、エチレン−酢酸ビニル共重合体からなる基材を有する請求項１、２または３に記載の吊下具。
【請求項５】
壁面などの被取付面に対して吊下具を取り付ける両面粘着テープであって、ゴム弾性を有するテープ基材の両面に粘着剤を塗布してなり、上記被取付面とほぼ平行な方向の引張力によって引き剥がし可能な延伸剥離テープにおいて、
上記テープ基材は、全光線透過率が８０％以上であることを特徴とする延伸剥離テープ。
【請求項６】
壁面などの被取付面に対して吊下具を取り付ける両面粘着テープであって、ゴム弾性を有するテープ基材の両面に粘着剤を塗布してなり、上記被取付面とほぼ平行な方向の引張力によって引き剥がし可能な延伸剥離テープにおいて、
上記テープ基材は、エチレン−酢酸ビニル共重合体からなる基材を有することを特徴とする延伸剥離テープ。
【発明の詳細な説明】
【０００１】
【発明の属する技術分野】
本発明は、両面粘着テープを介して壁面などの被取付面に貼着して使用する吊下具に関し、さらに詳しく言えば、両面粘着テープとして延伸剥離テープを用いる吊下具とその延伸剥離テープに関する。
【０００２】
【従来の技術】
家屋や物置などの壁面に物を吊下て保管する場合、一般に鉤部などの支持要素を備えた吊下具を両面粘着テープを介して壁面に貼り付けて保持するようにしたものが手軽に用いられている。
【０００３】
通常、両面粘着テープは、例えば樹脂フィルムからなる基材の両面に粘着剤を塗布したものから構成されているが、このタイプの延伸剥離テープは剥がし取る際に壁面を傷つけたり、糊残りするおそれがある。
【０００４】
そのため、最近では発泡樹脂やゴムなどからなる高弾性材料のテープ基材の両面に粘着剤を塗布した、いわゆる延伸剥離テープ（例えば、ドイツ特許ＤＥ３３３１０１６号公報参照）が一部使用されている。延伸剥離テープは剥がし方に特徴を有し、図５に延伸剥離テープを用いた吊下具の一例を示す。
【０００５】
この吊下具１は、前面（図５では左側面）に支持要素としてフック部３を備えた吊下具本体２と、同吊下具本体２の背面側（図５では右側面側）に着脱自在に取り付けられるベース４とを備え、ベース４が延伸剥離テープ５を介して壁面Ｗに取り付けられる。
【０００６】
延伸剥離テープ５によれば、そのテープ端部を貼着方向に対してほぼ直角方向（貼着面とはほぼ平行な方向）に引っ張ることにより、壁面Ｗを傷つけることなく、また、糊残りを生ずることなくきれいに剥がし取ることができる。
【０００７】
【発明が解決しようとする課題】
しかしながら、この種の粘着テープ５を用いる場合、次のような問題が指摘されている。すなわち、延伸剥離テープ５を貼着面とほぼ平行な方向に引っ張ると、そのテープ基材が細幅になる部分から先に剥がれ始め、最後には延伸剥離テープ５にベース４が張り付いたままの状態で剥がれ、その後テープが弾性復元力によって縮む。このため、延伸剥離テープ５に張り付いたベース４が勢いよく指に向かって飛んでくることがあり、指や爪を痛めることがある。
【０００８】
したがって、本発明の課題は、両面粘着テープとして壁面から引っ張って剥がす延伸剥離テープを使用する場合、吊下具を安全に取り外すことができるようにすることにある。
【０００９】
【課題を解決するための手段】
上述した目的を達成するため、本発明は壁面などの被取付面に対して両面粘着テープを介して取り付けられるベースと、上記ベースに対して着脱自在に取り付けられる吊下具本体とを有し、上記両面粘着テープとして、ゴム弾性を有するテープ基材の両面に粘着剤を塗布してなり、上記被取付面とほぼ平行な方向に引張って剥がす延伸剥離テープを用いる吊下具において、上記ベースには、上記延伸剥離テープを上記被取付面から引き剥がす際の上記ベースの飛びを防止する突起状の押さえ部が設けられていることを特徴としている。
【００１０】
これによれば、延伸剥離テープを引っ張って剥がす際に指などで押さえ部を介してベースを押さえた状態で、延伸剥離テープを引っ張ることができるため、延伸剥離テープのみを確実に引き剥がすことができ、ベースの飛びによって、指などを痛めるのを防止することができる。
【００１１】
延伸剥離テープを引っ張りやすくするためには、上記延伸剥離テープの一端側には引き剥がす際に手などで把持される把持部が設けることが好ましい。また、上記ベースのテープ貼着面のうち、上記延伸剥離テープの他端側（反把持部側）が接触する部分には、上記延伸剥離テープの粘着力を弱める弱貼着部が設けられることが好ましい。
【００１２】
これによれば、ベース側の粘着力が弱貼着部によって弱められていることにより、延伸剥離テープを引き剥がしてゆき、終端に差し掛かるとベース側に貼着している粘着面が壁面側に貼着している粘着面よりも先に剥がれ落ちるため、ベースの飛びを確実に防止できる。
【００１３】
また、上記延伸剥離テープのテープ基材は、全光線透過率が８０％以上であるエチレン−酢酸ビニル共重合体からなることが好ましい。これによれば、延伸剥離テープがほぼ無色透明であることにより、壁面と同じ色になり、延伸剥離テープの一部がベースからはみ出しても気にならない。なお、本発明にはこれら延伸剥離テープ自体の発明も含まれる。
【００１４】
【発明の実施の形態】
次に、本発明の実施形態について図面を参照しながら説明する。図１は本発明の一実施形態に係る吊下具１０の分解側面図、図２（ａ）は吊下具本体の断面図、図２（ｂ）はその背面図であり、図３（ａ）はベース４０を前面側から見た状態の斜視図、図３（ｂ）はベース４０を背面側から見た状態の分解斜視図である。
【００１５】
図１に示すように、この吊下具１０は、基本的な構成として、吊下具本体２０とベース４０とを備えており、それらはともに合成樹脂の成型品からなる。吊下具本体２０はベース４０に対して着脱自在であって、ベース４０は壁面Ｗに対して延伸剥離テープ５０を介して取り付けられる。
【００１６】
図２を参照して、吊下具本体２０は、前面２１（図１では左側面）にフック部３０が設けられており、背面２２には、ベース４０を収納するため前面２１側に向かって凹まされた凹部２３が設けられている。
【００１７】
凹部２３内には、後述するベース前面４１から突設された押さえ部４２を格納する格納凹部２４がさらに一段凹まされた状態で設けられている。この実施形態において、格納凹部２４はベース４０のスライド方向に沿って平行に凹まされており、スライド方向の長さがベース４０の移動量よりも大きくなるように設けられている。
【００１８】
凹部２３内にはさらに、ベース４０の側面から側方に突設された係止爪４３（計４カ所）を係止するための係止部２５が４カ所設けられている。各係止部２５は、凹部２３の内側面からＬ字状に張り出されており、係止爪４３がスライド挿入されるスライド溝２５１を形成している。
【００１９】
この実施形態において、係止部２５は、４カ所設けられているが、係止部２５は係止爪４３の数に応じて任意に変更することができる。
【００２０】
次に、図３（ａ）を参照して、ベース４０は扁平な合成樹脂製の板状片からなり、前面側（ベース前面４１）には、ベース４０を壁面Ｗから取り外す際に指などで押さえるための押さえ部４２と、吊下具本体２０の各係止部４３に係止される係止爪２５が設けられている。
【００２１】
押さえ部４２は、ベース前面４１の中央に突設された突起状のリブからなり、幅方向にかけてアーチ状に形成されている。押さえ部４２の両側には、ベース前面４１よりも一段低く凹まされた凹部４２１，４２１が形成されている。
【００２２】
この実施形態において、押さえ部４２はアーチ状に形成されているが、これ以外に角柱状であってもよい。また、引き剥がし時に指を引っ掛かけることができれば、凹面であってもよく、その態様は任意である。
【００２３】
係止爪４３は、ベース前面４１の幅方向の両側面から互いに対称に突設された２組（合計４カ所）のフランジ片からなり、それぞれ上記各係止部４２に対応した位置に設けられている。なお、上述したように係止爪４３の数は、係止部４２と対応して任意である。
【００２４】
図３（ｂ）に示すように、ベース４０の背面側（ベース背面４４）には、延伸剥離テープ５０の一方の粘着面が貼着される貼着面４５が設けられている。貼着面４５は、ほぼ平坦な平滑面からなり、その一部に延伸剥離テープ５０の粘着力を弱める弱貼着部４５１が設けられている。
【００２５】
弱貼着面４５１は、貼着面４５のうち、延伸剥離テープ５０の反引張方向（反把持部５２方向）の端部に接触する部分に設けられている。これによれば、ベース側の粘着力が弱貼着部によって弱められていることにより、延伸剥離テープ５０を引き剥がしてゆき、終端に差し掛かるとベース４０側に貼着している粘着面が壁面Ｗ側に貼着している粘着面よりも先に剥がれ落ちるため、ベースの飛びを確実に防止できる。
【００２６】
この実施形態において、弱貼着部４５１は、微少な溝を多数有するいわゆるローレット面からなり、延伸剥離テープ５０に対する接触面積を減少させることで、弱粘着効果を奏するものであるが、これ以外に例えばフッ素樹脂加工などであってもよく、その態様は任意に選択できる。また、弱貼着部４５１は、非粘着面であってもよい。
【００２７】
延伸剥離テープ５０は、例えばゴムなどの高弾性特性を有するテープ基材の両面に粘着剤を塗布したものからなり、壁面Ｗに沿ってほぼ平行な方向に引張って剥がすことができる両面粘着テープである。
【００２８】
この実施形態において、延伸剥離テープ５０は、厚さ１４０μｍのエチレン−酢酸ビニル共重合体フィルム（例えば、東ソー株式会社製商品名ウルトラセン６３５）からなるテープ基材の両面に透明アクリル系粘着剤（例えば、東洋インキ株式会社製品番ＢＰＳ−５２５）を５０μｍ厚で一様に塗布したものが用いられている。
【００２９】
また、延伸剥離テープ５０のテープ基材は、全光線透過率が８０％以上であることが好ましい。すなわち、全光線透過率が８０％以上であれば、延伸剥離テープ５０がほぼ透明となり、例えば吊下具１０がスケルトン調の透明体であっても、延伸剥離テープ５０が目立たない。
【００３０】
延伸剥離テープ５０の一端側（図３（ｂ）では左斜め下）には、延伸剥離テープ５０を壁面Ｗから引き剥がす際に手で把持するための把持部５２が設けられている。
【００３１】
この実施形態において、把持部５２は、延伸剥離テープ５０両面に貼着された樹脂製のフィルム片５２１，５２１（例えば東セロ株式会社製ＳＰ−ＰＥＴ−０３＃５０）からなるが、これ以外に例えば基材に対して粘着剤を持たない非粘着面としてもよい。
【００３２】
次に、この吊下具１０の使用手順の一例を説明する。まず、ベース４０の貼着面４５に延伸剥離テープ５０の一方の粘着面を取り付けた後、図示しないセパレータを剥がして他方の粘着面を壁面Ｗに取り付ける。なお、延伸剥離テープ５０は製品状態においてあらかじめベース４０に貼り付けられた状態であってもよい。
【００３３】
ベース４０の取り付け確認後、吊下具本体２０の背面２２をベース４０に押し付けるようにして凹部２２内にベース４０を潜り込ませる。そのまま吊下具本体２０をさらに下方にスライドさせてゆくことにより、ベース４０の各係止爪４３が吊下具本体２０に設けられた各係止部２５の各スライド溝２５１に収納され、ベース４０に吊下具本体２０が固定される。これにより、フック部３０が使用可能となる。
【００３４】
吊下具１０を壁面Ｗから除去するに当たっては、まず上述した逆の手順で吊下具本体２０をベース４０から取り外す。次に、ベース４０を除去するのであるが、この場合、図４に示すように、指Ｆでベース４０の押さえ部４２を壁面方向に押圧しながら、延伸剥離テープ５０の把持部５２をつまみ、延伸剥離テープ５０を壁面Ｗに沿って下方に引っ張る。
【００３５】
下方に引っ張ることにより、延伸剥離テープ５０は細幅となり、その部分から剥がれ始め、さらに引っ張って行き、延伸剥離テープ５０の後端側に差し掛かると、延伸剥離テープ５０は、粘着力が弱められたベース４０の弱貼着部４５１側の粘着面が先に剥がれ、その後に壁面Ｗ側の粘着面が剥がれる。
【００３６】
これによれば、延伸剥離テープ５０にベース４０が張り付いたままの状態で壁面Ｗから剥がれ落ちることがないので、延伸剥離テープ５０がその弾性復元力により縮んでも、ベース４０が指に向かって飛んでくるのを効果的に防止できる。
【００３７】
【発明の効果】
以上説明したように、本発明によれば、引っ張って剥がす延伸剥離テープからなる両面粘着テープを使用してベースを壁面に貼り付ける吊下具において、ベースを取り外す際に手で押さえるための押さえ部を設け、さらに粘着テープに対する粘着力を弱めた弱貼着部を設けたことにより、延伸剥離テープを引っ張って剥がす際にベースの飛びを効果的に防止することができる。
【図面の簡単な説明】
【図１】本発明の一実施形態に係る吊下具の分解側面図。
【図２】上記吊下具の吊下具本体の縦断面図および背面図。
【図３】上記吊下具のベースを正面側から見た状態の斜視図および背面側から見た状態の分解斜視図。
【図４】上記吊下具の取り外し方法を説明する説明図。
【図５】従来の吊下具を示す分解側面図。
【符号の説明】
１，１０　吊下具
２０　吊下具本体
３０　フック
４０　ベース
４２　押さえ部
４５　貼着面
４５１　弱貼着部
５０　粘着テープ
５２　把持部
Ｗ　壁面
【図１】
2004041535.tif 000003
【図２】
2004041535.tif 000004
【図３】
2004041535.tif 000005
【図４】
2004041535.tif 000006
【図５】
2004041535.tif 000007